(57)【要約】【課題】ユーザに選択画面に表示されている動画以外にも動画が存在することを意識させ、現在表示されている選択画面への導線を確保し、ユーザに対してより多くの動画を選択する機会を与える。【解決手段】端末装置の受信部は、複数の動画データの表示画像が周辺の他の表示画像と接するように配置され、表示部の表示サイズよりも大きな画像領域の動画一覧表示画面を受信する。一覧表示制御部は、表示部に受信部が受信した動画一覧表示画面の一部の領域を表示範囲として表示させる。表示範囲の少なくとも縦又は横の長さの一方は、表示画像のサイズでは割り切れない。一覧表示制御部は、表示移動操作に応じて動画一覧表示画面における表示範囲を移動させて表示部に表示させる。【選択図】図３
2015195618.tif 000002
【特許請求の範囲】
【請求項１】
複数の動画データの表示画像が周辺の他の前記表示画像と接するように配置され、表示部の表示サイズよりも大きな画面領域の動画一覧表示画面を受信する受信部と、
前記表示部に前記受信部が受信した前記動画一覧表示画面の一部の領域を表示範囲として表示させ、表示移動操作に応じて前記動画一覧表示画面における前記表示範囲を移動させて前記表示部に表示させる一覧表示制御部と、
を備え、
前記表示範囲の少なくとも縦又は横の長さの一方は、前記表示画像のサイズでは割り切れない、
ことを特徴とする端末装置。
【請求項２】
前記表示画像のサイズは、前記表示画像の縦又は横の長さである、
ことを特徴とする請求項１に記載の端末装置。
【請求項３】
前記動画一覧表示画面において複数の前記動画データの表示画像は、それぞれ同一の大きさであり、縦方向及び横方向に並べて配置される、
ことを特徴とする請求項１又は請求項２に記載の端末装置。
【請求項４】
前記一覧表示制御部は、前記表示範囲に含まれる最も外側の表示画像を前記表示範囲の外周により切れるように表示する、
ことを特徴とする請求項１から請求項３のいずれか一項に記載の端末装置。
【請求項５】
端末装置が実行する動画表示方法であって、
複数の動画データの表示画像が周辺の他の前記表示画像と接するように配置され、表示部の表示サイズよりも大きな画面領域の動画一覧表示画面を受信する受信過程と、
前記表示部に前記受信過程において受信した前記動画一覧表示画面の一部の領域を表示範囲として表示させる一覧表示制御過程と、
表示移動操作に応じて前記動画一覧表示画面における前記表示範囲を移動させて前記表示部に表示させる表示範囲移動制御過程と、
を有し、
前記表示範囲の少なくとも縦又は横の長さの一方は、前記表示画像のサイズでは割り切れない、
ことを特徴とする動画表示方法。
【請求項６】
コンピュータを、
請求項１から請求項４のいずれか１項に記載の端末装置の各部、
として機能させるためのプログラム。
【発明の詳細な説明】
【技術分野】
【０００１】
本発明は、端末装置、動画表示方法、及びプログラムに関する。
【背景技術】
【０００２】
近年、インターネットの普及とアクセス回線の広帯域化に伴い、撮影した動画を、インターネットを介して配信する技術が注目されている。例えば、特許文献１に記載の技術では、複数のカメラを配置することによって複数種類の動画配信を準備し、ユーザが所望の動画を選択することを可能としている。この技術では、ユーザは選択した動画の配信を受けることができる。
【先行技術文献】
【特許文献】
【０００３】
【特許文献１】特開２０１１−１０３５２２号公報
【発明の概要】
【発明が解決しようとする課題】
【０００４】
ユーザは、視聴可能な動画の縮小表示画面（サムネイル）やタイトルなどを見ながら、興味を惹く動画を選択し、視聴していた。しかし、選択肢があまりに多くなると、縮小表示画面やタイトルを１つずつチェックして、自分の興味や嗜好に合った動画を選択する作業が煩雑に思えてしまうこともあった。また、実際に１度に表示可能な動画像の数には限りがあり、選択画面に収まらない動画像の選択の機会が失われることがあった。
【０００５】
上記事情に鑑み、本発明は、ユーザに選択画面に表示されている動画以外にも動画が存在することを意識させ、現在表示されている選択画面への導線を確保し、ユーザに対してより多くの動画を選択する機会を与えることができる端末装置、動画表示方法、及びプログラムを提供することを目的としている。
【課題を解決するための手段】
【０００６】
本発明の一態様は、複数の動画データの表示画像が周辺の他の前記表示画像と接するように配置され、表示部の表示サイズよりも大きな画面領域の動画一覧表示画面を受信する受信部と、前記表示部に前記受信部が受信した前記動画一覧表示画面の一部の領域を表示範囲として表示させ、表示移動操作に応じて前記動画一覧表示画面における前記表示範囲を移動させて前記表示部に表示させる一覧表示制御部と、を備え、前記表示範囲の少なくとも縦又は横の長さの一方は、前記表示画像のサイズでは割り切れない、ことを特徴とする端末装置である。
【０００７】
また、本発明の一態様は、上述の端末装置であって、前記表示画像のサイズは、前記表示画像の縦又は横の長さである、ことを特徴とする。
【０００８】
また、本発明の一態様は、上述の端末装置であって、前記動画一覧表示画面において複数の前記動画データの表示画像は、それぞれ同一の大きさであり、縦方向及び横方向に並べて配置される、ことを特徴とする。
【０００９】
また、本発明の一態様は、上述の端末装置であって、前記一覧表示制御部は、前記表示範囲に含まれる最も外側の表示画像を前記表示範囲の外周により切れるように表示する、ことを特徴とする。
【００１０】
また、本発明の一態様は、端末装置が実行する動画表示方法であって、複数の動画データの表示画像が周辺の他の前記表示画像と接するように配置され、表示部の表示サイズよりも大きな画面領域の動画一覧表示画面を受信する受信過程と、前記表示部に前記受信過程において受信した前記動画一覧表示画面の一部の領域を表示範囲として表示させる一覧表示制御過程と、表示移動操作に応じて前記動画一覧表示画面における前記表示範囲を移動させて前記表示部に表示させる表示範囲移動制御過程と、を有し、前記表示範囲の少なくとも縦又は横の長さの一方は、前記表示画像のサイズでは割り切れない、ことを特徴とする動画表示方法である。
【００１１】
また、本発明の一態様は、コンピュータを、上述の端末装置の各部、として機能させるためのプログラムである。
【発明の効果】
【００１２】
本発明により、ユーザに選択画面に表示されている動画以外にも動画が存在することを意識させ、現在表示されている選択画面への導線を確保し、ユーザに対してより多くの動画を選択する機会を与えることが可能となる。
【図面の簡単な説明】
【００１３】
【図１】本発明の一実施形態による動画配信システムの構成を示すブロック図である。
【図２】同実施形態による動画配信装置の内部構成を示すブロック図である。
【図３】同実施形態による端末装置の内部構成を示すブロック図である。
【図４】同実施形態による動画配信装置の動画受信処理フローを示す図である。
【図５】同実施形態による端末装置の動画一覧表示処理フローを示す図である。
【図６】同実施形態による動画配信装置の動画一覧配信処理フローを示す図である。
【図７】同実施形態による動画一覧、配信範囲、及び、端末装置の表示範囲の関係を示す図である。
【図８】同実施形態による端末装置の表示部に表示させる表示範囲を示す図である。
【図９】同実施形態による端末装置の表示部が表示する動画一覧表示画面の表示例を示す図である。
【図１０】同実施形態による音声データの重畳割合の例を示す図である。
【図１１】同実施形態による端末装置の動画表示処理フローを示す図である。
【図１２】同実施形態による動画配信装置の動画表示画面配信処理フローを示す図である。
【図１３】同実施形態による動画配信装置のコメント配信処理フローを示す図である。
【図１４】同実施形態による端末装置の表示部が表示する動画表示画面の表示例を示す図である。
【図１５】同実施形態による端末装置の表示部が表示する動画表示画面の他の表示例を示す図である。
【図１６】同実施形態による端末装置の表示部が表示する動画表示画面の他の表示例を示す図である。
【図１７】同実施形態による端末装置の表示部が表示する動画一覧表示画面の他の表示例を示す図である。
【図１８】同実施形態による端末装置の表示部が表示する動画一覧表示画面のさらに他の表示例を示す図である。
【発明を実施するための形態】
【００１４】
以下、本発明の一実施形態について、図面を参照して説明する。
図１は、本実施形態による動画配信システム１の構成を示すブロック図である。同図に示すように、動画配信システム１は、動画投稿装置３、動画配信装置５、及び端末装置７を備えて構成される。動画配信装置５と複数の端末装置７とは、インターネットなどのネットワーク９により接続される。なお、動画配信装置５と複数の動画投稿装置３の一部または全部が、ネットワーク９により接続されてもよい。
【００１５】
動画投稿装置３は、カメラを実装したスマートフォン、タブレット端末、パーソナルコンピュータなどのコンピュータ端末や、通信装置が接続されたカメラなどである。
【００１６】
図２は、動画配信装置５の内部構成を示す機能ブロック図であり、本実施形態と関係する機能ブロックのみを抽出して示してある。動画配信装置５は、１台以上のサーバコンピュータなどにより実現され、動画配信処理部５１、及びコメント配信処理部５３を備えて構成される。
【００１７】
動画配信処理部５１は、記憶部５１１、配置決定部５１２、動画受信部５１３、一覧表示用動画生成部５１４、送信範囲決定部５１５、動画一覧表示画面生成部５１６、表示位置受信部５１７、音声配信部５１８、及び動画表示画面生成部５１９を備えて構成される。
記憶部５１１は、動画一覧などの各種データを記憶する。動画一覧は、複数の動画データの表示画像を、平面を埋めるように相互に隣接させて一覧表示する際の各動画データの配置を示すデータである。配置決定部５１２は、動画データの表示画像を一覧表示する際の各動画データの配置を決定し、決定した配置を示す動画一覧を記憶部５１１に書き込む。
【００１８】
動画受信部５１３は、動画投稿装置３から動画データを受信する。一覧表示用動画生成部５１４は、動画受信部５１３が受信した動画データから、動画一覧表示画面における表示サイズに合わせた動画データを生成する。動画一覧表示画面は、端末装置７が備えるディスプレイの表示サイズの中に複数の動画データの表示画像が含まれ、端末装置７が備えるディスプレイの表示サイズよりも大きなサイズの画面のデータである。
【００１９】
送信範囲決定部５１５は、動画一覧における送信範囲を、端末装置７が表示可能な範囲よりも大きなサイズで決定する。送信範囲決定部５１５は、動画一覧表示画面上の表示位置に関する情報を端末装置７から受信した場合、受信した情報に応じて送信範囲を決定する。動画一覧表示画面生成部５１６は、送信範囲決定部５１５が決定した送信範囲に含まれる複数の動画データの表示画像を、動画一覧における配置に従って配置した動画一覧表示画面を生成し、端末装置７へ配信する。表示位置受信部５１７は、動画一覧表示画面を表示している端末装置７から、所定の表示位置に表示画像を表示させている動画データを特定する情報を受信する。音声配信部５１８は、表示位置受信部５１７が受信した情報により特定される動画データの音声データを配信する。
【００２０】
動画表示画面生成部５１９は、動画データの表示要求を端末装置７から受信し、受信した表示要求により示される表示対象の動画データの画像を動画一覧表示画面における表示画像よりも大きく表示する動画表示画面を生成し、端末装置７に配信する。この動画表示画面にはさらに、表示対象の動画データの画像に隣接させて他の動画データの画像を画面の外周で切れるように表示させる。
【００２１】
コメント配信処理部５３は、コメント受信部５３１、コメント記憶部５３２、及びコメント配信部５３３を備えて構成される。
コメント受信部５３１は、動画表示画面生成部５１９が動画表示画面を配信している端末装置７から、表示対象の動画データに対するコメントデータを受信する。コメントデータは、コメント内容、コメントを投稿したユーザを識別する情報、コメントの投稿時刻などが含まれる。コメント記憶部５３２は、コメント受信部５３１が受信したコメントデータを記憶する。コメント配信部５３３は、動画表示画面生成部５１９が動画表示画面を配信している端末装置７に、その動画表示画面が表示対象としている動画データに対するコメント情報を配信する。コメント配信部５３３は、コメント情報をコメント記憶部５３２に記憶されているコメントデータに基づいて生成する。コメント情報は、コメント内容や、コメントを投稿したユーザの情報（例えば、ユーザ名）、投稿時刻などを含む。
【００２２】
図３は、端末装置７の内部構成を示す機能ブロック図であり、本実施形態と関係する機能ブロックのみを抽出して示してある。端末装置７は、例えば、スマートフォン、タブレット端末、携帯電話、パーソナルコンピュータなどのコンピュータ端末により実現される。本実施形態では、端末装置７がスマートフォンである場合を例に説明する。端末装置７は、通信部７１、表示部７２、操作受付部７３、音声出力部７４、及び制御部７５を備えて構成される。
【００２３】
通信部７１は、ネットワーク９を介して動画配信装置５との間でデータを送受信する。表示部７２は、画面を表示するディスプレイであり、例えば、タッチパネルである。操作受付部７３は、ユーザから種々の操作を受け付ける。表示部７２がタッチパネルである場合、操作受付部７３は、タッチパネルに配されているタッチセンサを介して操作を受け付ける。音声出力部７４は、スピーカーであり、音声データの再生音声を出力する。
【００２４】
制御部７５は、各部を制御する。制御部７５は、一覧表示制御部７５１、音声制御部７５２、動画表示制御部７５３、及びコメント処理部７５４を備えて構成される。
一覧表示制御部７５１は、表示部７２の表示サイズよりも大きな動画一覧表示画面の中から、表示部７２の表示サイズに応じた表示範囲を表示移動操作に応じて移動させて表示部７２に表示させる。音声制御部７５２は、表示部７２に表示させている動画一覧表示画面の表示範囲の中で、所定の表示位置に表示画像を表示させている動画データの音声データを動画配信装置５から受信し、音声出力部７４から出力させる。
【００２５】
動画表示制御部７５３は、表示部７２が表示している動画一覧表示画面内の動画データの表示画像により表示対象の動画データを選択する表示指示操作を操作受付部７３が受けた場合、表示対象として選択された動画データの表示要求を動画配信装置５に送信する。また、動画表示制御部７５３は、動画表示画面において画像を画面の外周で切れるように表示させている動画データを新たな表示対象に変更する表示対象変更操作を受けた場合に、新たな表示対象として選択された動画データの表示要求を動画配信装置５に送信する。動画表示制御部７５３は、表示要求に対応して動画配信装置５から受信した動画表示画面を、表示部７２に表示させる。
コメント処理部７５４は、動画表示画面が表示対象としている動画データに対してユーザが入力したコメント内容を設定したコメントデータを動画配信装置５に送信する。また、コメント処理部７５４は、動画配信装置５から受信したコメント情報を動画表示画面に追加して表示させる。
【００２６】
次に、動画配信システム１の動作を説明する。以下では、動画配信装置５が動画投稿装置３から受信した動画データを、端末装置７にライブ配信する場合について説明する。
【００２７】
最初に、動画配信装置５が各動画投稿装置３からライブ配信する動画データを受信した時の処理について説明する。
まず、動画配信装置５の配置決定部５１２は、所定の条件に従って、動画データの表示画像を一覧表示する際の動画データの配置を決定し、決定した配置を示す動画一覧を記憶部５１１に登録しておく。例えば、動画一覧は、動画一覧における配置位置と、その配置位置に表示画像を表示する動画データの動画ＩＤとを対応付けた情報により示される。所定の条件には、動画データに関する任意の情報を使用することができる。また、動画一覧の生成のタイミングは、所定の時間毎、指示が入力されたときなど、任意とすることができる。
【００２８】
図４は、動画配信装置５における動画受信処理フローを示す図である。
動画配信装置５の動画受信部５１３は、ライブ配信する動画データを動画投稿装置３から受信する（図４、ステップＳ１０５）。一覧表示用動画生成部５１４は、動画受信部５１３が受信した動画データから、動画一覧表示画面における表示画像の表示サイズに合わせた動画データを生成する（図４、ステップＳ１１０）。本実施形態では、動画一覧表示画面における各表示画像の表示サイズは同一とするが、動画一覧における配置位置に応じて表示サイズが異なっていてもよい。動画一覧表示画面における表示画像の表示サイズに合わせた動画データは、例えば、縮小表示画像の動画データでもよく、動画データの表示画像の一部をトリミングした動画データであってもよい。
【００２９】
続いて、図５及び図６に示す処理フローを用いて、動画配信システム１における動画一覧配信処理について説明する。
図５は、端末装置７における動画一覧表示処理フローを示す図であり、図６は、動画配信装置５における動画一覧配信処理フローを示す図である。
【００３０】
図５において、端末装置７の操作受付部７３が、動画一覧の配信を要求するユーザ操作を受ける。一覧表示制御部７５１は、動画一覧配信要求を動画配信装置５に送信する（図５、ステップＳ２０５）。
【００３１】
図６において、動画配信装置５の送信範囲決定部５１５は、端末装置７から動画一覧配信要求を受信したか否かを判断する（図６、ステップＳ３０５）。ここでは、送信範囲決定部５１５は、動画一覧配信要求を受信したと判断する（図６、ステップＳ３０５：ＹＥＳ）。送信範囲決定部５１５は、動画一覧配信要求から端末装置７における動画一覧の表示位置を取得する。ここでは、動画一覧配信要求に表示位置が設定されていないため、送信範囲決定部５１５は、動画一覧における予め決められた初期表示位置を、表示位置として決定する。送信範囲決定部５１５は、記憶部５１１から動画一覧を読み出し、読み出した動画一覧における矩形の送信範囲を、表示位置に応じて、端末装置７が表示可能な範囲よりも所定サイズ分だけ大きなサイズで決定する（図６、ステップＳ３１０）。
【００３２】
図７は、動画一覧、配信範囲、及び、端末装置７の表示範囲の関係を示す図である。本実施形態では、動画一覧は、同一の大きさの正方形の表示画像を、縦方向及び横方向にタイル状に並べて一覧表示するときの動画データの配置を示す。同図に示すように、動画一覧は、左上から動画ＩＤがＶ１、Ｖ２、Ｖ３、…の動画データが配置されることを示している。仮想画面Ａ１は、動画一覧が示す配置に従って仮想的に動画データの表示画像を配置して表示させたときの全画面を示している。例えば、送信範囲決定部５１５は、初期表示位置Ａ２が中心となるように送信範囲Ａ３を決定する。送信範囲Ａ３は、動画一覧表示画面として端末装置７へ送信する動画一覧の範囲であり、端末装置７の表示部７２が表示可能なサイズである表示範囲Ａ４よりも大きい。なお、動画一覧表示画面内の動画データの表示画像は、表示範囲Ａ４の外周により、表示範囲Ａ４内に含まれる最も外側の表示画像が切れるように配置される。つまり、表示範囲Ａ４の縦、及び横の長さは、表示画像の辺の長さでは割り切れない。
【００３３】
図６において、動画一覧表示画面生成部５１６は、送信範囲決定部５１５が決定した送信範囲に含まれる配置位置それぞれに対応する動画ＩＤを読み出す。動画一覧表示画面生成部５１６は、送信範囲に含まれる配置位置に、その配置位置に対応する動画ＩＤの動画データから一覧表示用動画生成部５１４が生成した動画データの表示画像を配置して表示させる動画一覧表示画面を生成する（図６、ステップＳ３１５）。動画一覧表示画面には、各動画データの表示画像に、動画一覧における当該表示画像の配置位置を示す情報と、動画ＩＤなど動画データを特定する情報とのいずれかまたは両方が付加される。一覧表示用動画生成部５１４は、生成した動画一覧表示画面を、動画一覧配信要求元の端末装置７に配信する（図６、ステップＳ３２０）。
【００３４】
図５において、端末装置７の一覧表示制御部７５１は、動画配信装置５から動画一覧表示画面を受信する（図５、ステップＳ２１０）。一覧表示制御部７５１は、受信した動画一覧表示画面における表示範囲を決定する。
【００３５】
図８は、端末装置７の表示部７２に表示させる表示範囲を示す図である。一覧表示制御部７５１は、例えば、受信した動画一覧表示画面Ｌ１の中心が表示範囲の中心となるように、表示範囲Ｇ１を決定する。さらに、一覧表示制御部７５１は、表示範囲Ｇ１の中で所定の表示位置に表示画像を表示させている動画データを選択中の動画データとして決定する。例えば、一覧表示制御部７５１は、表示範囲の中心を含む表示位置Ｆ１に表示画像を表示させている動画データを選択中の動画データとして決定する。
【００３６】
図５において、端末装置７の一覧表示制御部７５１は、決定した表示範囲に含まれる動画一覧表示画面を表示部７２に表示させ、さらに、選択中の動画データの表示画像に選択中であることを表す情報を付加して表示させる（図５、ステップＳ２１５）。
【００３７】
図９は、端末装置７の表示部７２が表示する動画一覧表示画面の表示例を示す図である。同図に示すように、表示部７２は、複数の動画データの表画画像を縦方向及び横方向にタイル状に並べた一覧を表示する。表示部７２が表示させている最も外側の表示画像Ｈ１−Ｈ１２は、表示部７２の表示範囲の外周により切れるように、一部分が表示される。また、一覧表示の中心の表示画像には、選択中の動画データの表示画像であることを表す外枠Ｆが表示される。
【００３８】
このように、表示範囲の最も外側の表示画像を見切り表示させることにより、ユーザに、表示範囲の外側にも表示画像があり、表示範囲を移動させることができるという認識を与えることができる。また、この見切り表示により、一覧表示の広がりを演出し、ユーザに動画提供サイトの楽しさやにぎやかさを感じてもらうことができる。加えて、ユーザに、現在の表示範囲の外に表示されている表示画像に対する興味を持ってもらうこともできる。
【００３９】
図５において、端末装置７の音声制御部７５２は、一覧表示制御部７５１が決定した選択中の動画データを特定する情報である選択中動画情報を動画配信装置５に送信する（図５、ステップＳ２２０）。例えば、音声制御部７５２は、選択中の動画データの配置位置を示す情報、あるいは、動画ＩＤを動画一覧表示画面から読み出し、選択中動画情報として用いることができる。また、ユーザが選択中の動画データを指定する操作を行ってもよい。音声制御部７５２は、操作受付部７３が受けた操作により選択中として指定された動画データを特定する選択中動画情報を動画配信装置５に送信する。
【００４０】
図６において、動画配信装置５の表示位置受信部５１７は、動画一覧配信要求を受信していないと判断し（図６、ステップＳ３０５：ＮＯ）、選択中動画情報を受信したか否かを判断する（図６、ステップＳ３２５）。表示位置受信部５１７は、選択中動画情報を受信していない場合は処理を終了するが（図６、ステップＳ３２５：ＮＯ）、ここでは、端末装置７から選択中動画情報を受信したと判断する（図６、ステップＳ３２５：ＹＥＳ）。表示位置受信部５１７は、受信した選択中動画情報により特定される動画データの音声データを、選択中動画情報の送信元の端末装置７に配信する（図６、ステップＳ３３０）。
【００４１】
あるいは、音声配信部５１８は、選択中動画情報により特定される動画データと、その動画データの周辺に表示画像が表示されている動画データの音声を重畳した音声データを生成し、端末装置７に配信してもよい。この場合、音声配信部５１８は、表示位置受信部５１７が受信した選択中動画情報により、動画一覧における選択中の動画データの配置位置を特定する。さらに、音声配信部５１８は、動画一覧において選択中の動画データの配置位置から所定範囲に表示画像が配置されている他の動画データを特定する。音声配信部５１８は、選択中の動画データの音声データと、特定した他の動画データの音声データとを、動画一覧における表示画像の配置に応じた音量により重畳した音声データを生成する。
【００４２】
図１０は、音声データの重畳割合の例を示す図である。同図においては、選択中の動画データの音量を１．０とすると、選択中の動画データの配置位置Ａ５に隣接した配置位置の動画データの音量を０．２、さらにその周辺の配置位置の動画データの音量を０．１としている。数値が記載されていない表示位置の動画データについては音声データを重畳しない。
なお、音声データを重畳する範囲や、その重畳の割合は任意とすることができる。同図では、端末装置７における表示範囲Ａ６に表示画像が含まれない動画データについても音声を重畳しているが、表示範囲Ａ６に表示画像が含まれる動画データのみの音声を重畳するようにしてもよい。
【００４３】
このように、端末装置７に一覧表示されている動画の中で選択中の動画の音声だけではなく、その周囲の動画の音声を重畳した音声とすることにより、動画提供サイトのにぎやかさを演出し、ユーザにこのサイトの楽しさ感じてもらうことができる。
音声配信部５１８は、生成した音声データを端末装置７に配信する。
【００４４】
図５において、端末装置７の音声制御部７５２は、動画配信装置５から受信した音声データの再生音声を音声出力部７４から出力する（図５、ステップＳ２２５）。
【００４５】
一覧表示制御部７５１は、現在の表示範囲が、動画一覧表示画面の外周から所定範囲内であるかを判断する（図５、ステップＳ２３０）。図８において、境界Ｌ２は、動画一覧表示画面Ｌ１の外周から所定距離の境界を表している。一覧表示制御部７５１は、現在の表示範囲Ｇ１が動画一覧表示画面Ｌ１の外周と境界Ｌ２の中に含まれるかを判断する。一覧表示制御部７５１は、現在の表示範囲が、動画一覧表示画面の外周から所定範囲に達していないと判断した場合（図５、ステップＳ２３０：ＮＯ）、操作待ちとなる。
【００４６】
ここで、端末装置７の操作受付部７３は、動画一覧の表示位置を移動させる表示移動操作を受ける（図５、ステップＳ２３５：ＹＥＳ）。例えば、表示移動操作は、表示部７２が表示している画面上のスワイプ操作またはフリック操作である。一覧表示制御部７５１は、動画一覧表示画面における現在の表示範囲を、操作受付部７３が受けた表示移動操作に応じた移動方向と移動距離により移動させて表示部７２に表示させる（図５、ステップＳ２４０）。
【００４７】
一覧表示制御部７５１は、図８に示すように、動画一覧表示画面Ｌ１における現在の表示範囲Ｇ１を、操作受付部７３が受けた表示移動操作に応じて表示範囲Ｇ２に移動させ、表示部７２に表示させる。このとき、一覧表示制御部７５１は、表示範囲Ｇ２を、表示範囲Ｇ２内に含まれる最も外側の表示画像が、表示範囲Ｇ２の外周により切れるように決める。さらに、一覧表示制御部７５１は、移動後の表示範囲Ｇ２の中心が含まれる表示位置Ｆ２に表示画像を表示させている動画データを選択中の動画データとして決定する。一覧表示制御部７５１は、選択中であることを表す外枠Ｆを、表示位置Ｆ１の表示画像から表示位置Ｆ２の表示画像へと移動させて表示させる。
【００４８】
動画配信システム１は、図５のステップＳ２２０からの処理を繰り返す。すなわち、端末装置７の音声制御部７５２は、一覧表示制御部７５１が決定した選択中の動画データを特定する情報である選択中動画情報を動画配信装置５に送信する（図５、ステップＳ２２０）。動画配信装置５の表示位置受信部５１７は、選択中動画情報を受信する（図６、ステップＳ３０５：ＮＯ、ステップＳ３２５：ＹＥＳ）。音声配信部５１８は、選択中動画情報により特定される動画データの音声データを端末装置７に配信する（図６：ステップＳ３３０）。端末装置７の音声制御部７５２は、動画配信装置５から受信した音声データの再生音声を音声出力部７４から出力する（図５、ステップＳ２２５）。一覧表示制御部７５１は、現在の表示範囲Ｇ２が、動画一覧表示画面の外周から所定範囲に達していないと判断し（図５、ステップＳ２３０：ＮＯ）、操作待ちとなる。
【００４９】
さらに、端末装置７の操作受付部７３は、動画一覧の表示位置を移動させる表示移動操作を受けたとする（図５、ステップＳ２３５：ＹＥＳ）。一覧表示制御部７５１は、図８に示すように、動画一覧表示画面Ｌ１における現在の表示範囲Ｇ２を、表示移動操作に応じて表示範囲Ｇ３に移動させ、表示部７２に表示させる。このとき、一覧表示制御部７５１は、表示範囲Ｇ３を、表示範囲Ｇ３内に含まれる最も外側の表示画像が、表示範囲Ｇ３の外周により切れるように決める。さらに、一覧表示制御部７５１は、表示範囲Ｇ３の中心が含まれる表示位置Ｆ３に表示画像を表示させている動画データを選択中の動画データとして決定する。一覧表示制御部７５１は、選択中であることを表す外枠Ｆを、表示位置Ｆ２の表示画像から表示位置Ｆ３の表示画像へと移動させて表示させる。端末装置７の音声制御部７５２は、一覧表示制御部７５１が決定した選択中の動画データを特定する情報である選択中動画情報を動画配信装置５に送信する（図５、ステップＳ２２０）。動画配信装置５の表示位置受信部５１７は、選択中動画情報を受信する（図６：ステップＳ３０５：ＮＯ、ステップＳ３２５：ＹＥＳ）。音声配信部５１８は、選択中動画情報により特定される動画データの音声データを端末装置７に配信する（図６、ステップＳ３３０）。端末装置７の音声制御部７５２は、動画配信装置５から受信した音声データの再生音声を音声出力部７４から出力する（図５、ステップＳ２２５）。
【００５０】
一覧表示制御部７５１は、表示範囲Ｇ３が動画一覧表示画面Ｌ１の外周と境界Ｌ２の中に含まれるため、現在の表示範囲が、動画一覧表示画面の外周から所定範囲内となったと判断する（図５、ステップＳ２３０：ＹＥＳ）。一覧表示制御部７５１は、動画の表示位置を示す情報を設定した動画一覧配信要求を動画配信装置５に送信する（図５、ステップＳ２４５）。動画の表示位置を示す情報として、表示範囲Ｇ３の所定の表示位置、例えば、表示範囲Ｇ３の中心が含まれる表示画像の配置位置を示す情報、あるいは、その配置位置に表示画像を表示させている動画データの動画ＩＤを用いることができる。
【００５１】
図６において、動画配信装置５の送信範囲決定部５１５は、端末装置７から動画一覧配信要求を受信する（図６、ステップＳ３０５：ＹＥＳ）。送信範囲決定部５１５は、動画一覧配信要求から表示位置を示す情報を取得する。送信範囲決定部５１５は、記憶部５１１から動画一覧を読み出し、読み出した動画一覧における矩形の送信範囲を、取得した情報が示す表示位置に応じて、端末装置７が表示可能な範囲よりも所定サイズ分だけ大きなサイズで決定する（図６、ステップＳ３１０）。
【００５２】
例えば、送信範囲決定部５１５は、図７に示すように、動画一覧配信要求から読み出した情報が示す表示位置Ａ７が中心となるように送信範囲Ａ８を決定する。送信範囲Ａ８は、送信範囲Ａ３と同じサイズであり、端末装置７における現在の表示範囲Ａ９が少なくとも含まれる。
【００５３】
図６において、動画一覧表示画面生成部５１６は、送信範囲決定部５１５が決定した送信範囲に含まれる配置位置それぞれに対応する動画ＩＤを読み出す。動画一覧表示画面生成部５１６は、送信範囲に含まれる配置位置に、その配置位置に対応する動画ＩＤの動画データから一覧表示用動画生成部５１４が生成した動画データの表示画像を配置して表示させる動画一覧表示画面を生成する（図６、ステップＳ３１５）。一覧表示用動画生成部５１４は、生成した動画一覧表示画面を端末装置７に配信する（図６、ステップＳ３２０）。
【００５４】
図５において、端末装置７の一覧表示制御部７５１は、動画配信装置５から新たな動画一覧表示画面を受信する（図５、ステップＳ２５０）。一覧表示制御部７５１は、受信した新たな動画一覧表示画面における現在の表示範囲を特定し、操作待ちとなる（図５、ステップＳ２５５）。端末装置７の操作受付部７３は、動画一覧の表示位置を移動させる表示移動操作を受けた場合（図５、ステップＳ２３５：ＹＥＳ）、新たな動画一覧表示画面を用いてステップＳ２４０以降の処理を行う。これにより、端末装置７は、新たな動画一覧表示画面の表示範囲を、表示移動操作に応じて、特定した前記表示範囲から移動させて表示部７２に表示させる。
【００５５】
そして、操作待ち状態において、操作受付部７３が、動画データの表示指示操作を受信した場合（図５、ステップＳ２３５：ＮＯ、ステップＳ２６０：ＹＥＳ）、端末装置７は、後述する図１１に示す動画表示処理フローを実行する。動画データの表示指示操作は、表示部７２が表示している画面において、ユーザが表示対象の動画データの画像の表示領域をタップする操作またはダブルタップする操作である。なお、操作待ち状態において、操作受付部７３が、表示移動操作、及び、表示指示操作以外の操作を受けた場合（図５、ステップＳ２６０：ＮＯ）、制御部７５は、その操作に応じた処理を行う(図５、ステップＳ２６５）。端末装置７は、操作待ち状態となり、ステップＳ２３５からの処理を行うか、図５の処理を終了する。
【００５６】
なお、一覧表示制御部７５１は、一回の表示移動操作による移動量を制限してもよい。これにより、表示範囲がすぐに動画一覧表示画面の外周から所定範囲内となって頻繁に動画配信要求を送信することや、次の動画一覧表示画面を受信する前に、表示範囲が現在の動画一覧表示画面外の範囲を含むようになることを防ぐ。
【００５７】
なお、端末装置７が過去に動画一覧表示画面を受信して表示していた場合、図５のステップＳ２０５において、一覧表示制御部７５１は、動画一覧表示画面における最後の表示位置を示す情報を動画一覧配信要求に設定してもよい。
【００５８】
続いて、図１１から図１３に示す処理フローを用いて、動画配信システム１における動画配信処理について説明する。図１１は、端末装置７における動画表示処理フローを示す図である。図１２は、動画配信装置５における動画表示画面配信処理フローを示す図であり、図１３は、動画配信装置５におけるコメント配信処理フローを示す図である。
【００５９】
図１１において、端末装置７の動画表示制御部７５３は、表示指示操作により表示対象として選択された動画データを特定する表示対象動画情報を設定した表示要求を送信する（図１１、ステップＳ４０５）。動画表示制御部７５３は、選択された動画データの動画ＩＤあるいは配置位置を示す情報を動画一覧表示画面から読み出し、表示対象動画情報として用いることができる。
【００６０】
図１２において、動画配信装置５の動画表示画面生成部５１９は、表示要求を受信したか否かを判断する（図１２、ステップＳ５０５）。動画表示画面生成部５１９は、表示要求を受信していないと判断した場合、処理を終了するが（図１２、ステップＳ５０５：ＮＯ）、ここでは、表示要求を受信したと判断する（図１２、ステップＳ５０５：ＹＥＳ）。動画表示画面生成部５１９は、表示要求の送信元の端末装置７にすでに動画表示画面を送信中であるか否かを判断する（図１２、ステップＳ５１０）。動画表示画面生成部５１９は、表示要求の送信元の端末装置７にまだ動画表示画面を送信していないと判断した場合（図１２、ステップＳ５１０：ＮＯ）、ステップＳ５１５の処理を行う。
【００６１】
動画表示画面生成部５１９は、受信した表示要求に設定されている表示対象動画情報から表示対象の動画データの動画ＩＤ（以下、「表示対象動画ＩＤ」と記載する。）を取得する。表示対象動画情報が配置位置を示す場合、動画表示画面生成部５１９は、その配置位置に対応した動画ＩＤを動画一覧から読み出し、表示対象動画ＩＤとする。動画表示画面生成部５１９は、動画一覧において、表示対象動画ＩＤに対応した配置位置を特定し、特定した配置位置に隣接する配置位置の他の動画データの動画ＩＤを読み出す。本実施形態では、動画表示画面生成部５１９は、表示対象動画ＩＤに対応した配置位置に対して、右側に隣接する配置位置の動画ＩＤ（以下、「右隣接動画ＩＤ」と記載する。）及び左側に隣接する配置位置の動画ＩＤ（以下、「左隣接動画ＩＤ」と記載する。）を読み出す。
【００６２】
動画表示画面生成部５１９は、動画受信部５１３が受信している動画データの中から、表示対象動画ＩＤにより特定される表示対象の動画データと、右隣接動画ＩＤにより特定される動画データと、左隣接動画ＩＤにより特定される動画データを取得する。動画表示画面生成部５１９は、表示対象の動画データの画像を動画一覧表示画面における表示画像よりも大きく表示するとともに、その画像に隣接させて、動画一覧において隣接した配置位置の動画データの画像を画面の外周で切れるように表示する動画表示画面を生成する（図１２、ステップＳ５１５）。例えば、動画表示画面生成部５１９は、動画表示画面に、表示対象の動画データの画像の右側に隣接して、右隣接動画ＩＤの動画データの画像を配置し、表示対象の動画データの画像の左側に隣接して、左隣接動画ＩＤの動画データの画像を配置する。動画表示画面には、表示される各動画データの動画ＩＤが付加される。動画一覧表示画面生成部５１６は、生成した動画表示画面を、表示要求の送信元の端末装置７に配信する（図１２、ステップＳ５２０）。
【００６３】
図１１において、端末装置７の動画表示制御部７５３は、動画配信装置５から動画表示画面を受信する（図１１、ステップＳ４１０）。コメント処理部７５４は、表示対象の動画データの動画ＩＤを設定したコメント配信要求を動画配信装置５に送信する（図１１、ステップＳ４１５）。
【００６４】
図１３において、動画配信装置５のコメント配信処理部５３は、コメント配信要求を受信したか否かを判断する(図１３、ステップＳ６０５）。ここでは、コメント配信処理部５３が、コメント配信要求を受信したと判断する（図１３、ステップＳ６０５：ＹＥＳ）。コメント配信部５３３は、コメント配信要求に設定されている動画ＩＤを取得する。コメント配信部５３３は、取得した動画ＩＤに対応付けられたコメントデータをコメント記憶部５３２から、投稿時刻が新しい順に所定数読み出す。コメントデータには、コメントの対象である動画データの動画ＩＤ、コメント投稿時刻、コメントを投稿したユーザのユーザＩＤ、コメント内容のテキストデータが含まれる。コメント配信部５３３は、読み出したコメントデータそれぞれについて、コメントデータに設定されているユーザＩＤと対応付けて予め記憶部５１１またはコメント記憶部５３２に記憶されているユーザ名及びアイコン画像データを読み出す。コメント配信部５３３は、コメントデータのコメント内容及び投稿時刻と、コメントデータのユーザＩＤに基づいて読み出したユーザ名及びアイコン画像データとを設定したコメント情報を生成する（図１３、ステップＳ６１０）。コメント配信部５３３は、コメント配信要求の送信元である端末装置７に対し、生成したコメント情報を送信する（図１３、ステップＳ６１５）。
【００６５】
図１１において、端末装置７のコメント処理部７５４は、動画配信装置５からコメント情報を受信する(図１１、ステップＳ４２０）。動画表示制御部７５３は、ステップＳ４１０において受信した動画表示画面を表示部７２に表示させる（図１１、ステップＳ４２５）。さらに、コメント処理部７５４は、表示部７２が表示させている動画表示画面に付加して、ステップＳ４２０において受信したコメント情報を投稿時刻の順に表示させる（図１１、ステップＳ４３０）。
【００６６】
図１４及び図１５は、端末装置７の表示部７２が表示する動画表示画面の表示例を示す図である。
図１４は、表示部７２が縦長の状態であるときの表示例である。同図に示すように、表示部７２が表示している画面は、動画表示領域Ｂ１とコメント表示領域Ｂ２を有し、コメント表示領域Ｂ２は動画表示領域Ｂ１の下に配置される。動画表示領域Ｂ１は、表示領域Ｂ１１、Ｂ１２、Ｂ１３からなる。表示領域Ｂ１１には、表示対象の動画データの表示画像が表示される。また、表示領域Ｂ１１の右側に隣接する表示領域Ｂ１２には、右隣接動画ＩＤの動画データの画像が表示され、表示領域Ｂ１１の左側に隣接する表示領域Ｂ１３には、左隣接動画ＩＤの動画データの画像が表示される。右隣接動画ＩＤの動画データ及び左隣接動画ＩＤの動画データは、動画データの画像が表示部７２の外周で切れるように、見切り表示される。コメント表示領域Ｂ２には、投稿時刻が新しい順にコメント情報が表示される。各コメント情報の表示には、ユーザ名Ｂ２１、アイコン画像データＢ２２、コメント内容Ｂ２３、及び投稿時間Ｂ２４が含まれる。コメント処理部７５４は、投稿時間Ｂ２４を、現在時刻と投稿時刻との差分に基づいて随時更新して表示させる。
【００６７】
図１５は、表示部７２が横長の状態のときの表示例である。同図に示すように、表示部７２が表示している画面は、動画表示領域Ｃ１とコメント表示領域Ｃ２を有し、コメント表示領域Ｃ２は動画表示領域Ｃ１上の下部に重ねて配置される。動画表示領域Ｃ１は、表示領域Ｃ１１、Ｃ１２、Ｃ１３からなる。表示領域Ｃ１１には、表示対象の動画データの表示画像が表示される。また、表示領域Ｃ１１の右側に隣接する表示領域Ｃ１２には、右隣接動画ＩＤの動画データの画像が表示され、表示領域Ｃ１１の左側に隣接する表示領域Ｃ１３には、左隣接動画ＩＤの動画データの画像が表示される。右隣接動画ＩＤの動画データ及び左隣接動画ＩＤの動画データは、動画データの画像が表示部７２の外周で切れるように、見切り表示される。コメント表示領域Ｃ２には、投稿時刻が新しい順にコメント情報が表示される。各コメント情報の表示には、ユーザ名Ｃ２１、アイコン画像データＣ２２、コメント内容Ｃ２３、及び投稿時間Ｃ２４が含まれる。
【００６８】
図１４、及び図１５に示すような動画表示画面を端末装置７に表示させることで、ユーザは、表示対象の動画データを見ながら、他の動画データも一部を見ることができる。よって、表示対象として指定した動画を視聴する際に煩わしさを感じさせることなく、ユーザが他の動画データへ興味を持ちやすくすることができる。また、両側の動画データについては画面の外周で切れるように一部のみを表示することにより、興味を持った場合には、その動画データに表示対象を移動させることが可能なことをユーザが認識できるようにしている。
【００６９】
表示部７２が動画表示画面を表示させているときに、操作受付部７３が、ユーザによるコメント入力操作を受けたとする。図１１において、端末装置７のコメント処理部７５４は、コメント入力を受けたと判断し（図１１、ステップＳ４３５：ＹＥＳ）、コメントデータを動画配信装置５に送信する（図１１、ステップＳ４４０）。コメントデータには、表示対象の動画データの動画ＩＤ、ユーザＩＤ、操作受付部７３が受けたコメント内容、コメント投稿時刻が設定される。
【００７０】
図１３において、動画配信装置５のコメント配信処理部５３は、コメント配信要求を受信していないと判断し(図１３、ステップＳ６０５：ＮＯ）、コメントデータを受信したか否かを判断する（図１３、ステップＳ６２０）。コメント配信処理部５３は、コメントデータを受信していないと判断した場合は処理を終了するが（図１３、ステップＳ６２０：ＮＯ）、ここでは、コメントデータを受信したと判断する（図１３、ステップＳ６２０：ＹＥＳ）。コメント受信部５３１は、受信したコメントデータをコメント記憶部５３２に追加保存する（図１３、ステップＳ６２５）。
【００７１】
コメント配信部５３３は、追加保存したコメントデータに設定されているユーザＩＤと対応付けて予め記憶部５１１またはコメント記憶部５３２に記憶されているユーザ名及びアイコン画像データを読み出す。コメント配信部５３３は、コメントデータのコメント内容及び投稿時刻と、コメントデータのユーザＩＤに基づいて読み出したユーザ名及びアイコン画像データとを設定したコメント情報を生成する（図１３、ステップＳ６３０）。コメント配信部５３３は、追加保存したコメントデータに設定されている動画ＩＤの動画データを視聴しているユーザの端末装置７へ生成したコメント情報を配信する（図１３、ステップＳ６３５）。つまり、コメント情報の配信先の端末装置７は、動画表示画面生成部５１９が、追加保存したコメントデータに設定されている動画ＩＤの動画データを表示対象とした動画表示画面を配信している端末装置７である。この端末装置７には、コメントデータ送信元の端末装置７と、コメントデータ送信元の端末装置７と同じ動画データを表示対象としている他の端末装置７とが含まれる。
【００７２】
図１１において、コメントデータ送信元の端末装置７のコメント処理部７５４は、ステップＳ４４０の処理の後、動画配信装置５からコメント情報を受信し(図１１、ステップＳ４４５：ＹＥＳ）、ステップＳ４３０からの処理を行う。一方、他の端末装置７のコメント処理部７５４は、ステップＳ４３５においてコメント入力がないと判断した後（図１１、ステップＳ４３５：ＮＯ）、コメント情報を受信し(図１１、ステップＳ４４５：ＹＥＳ）、ステップＳ４３０からの処理を行う。
【００７３】
コメント処理部７５４は、表示部７２が表示させている動画表示画面に、受信したコメント情報を最も新しいコメント情報として追加表示させる（図１１、ステップＳ４３０）。コメント処理部７５４は、すでにコメント情報を表示可能な数だけ表示部７２に表示させている場合、投稿時刻が最も古いコメント情報の表示を削除し、受信したコメント情報を追加表示させる。これにより、コメント処理部７５４は、動画表示画面に、表示対象の動画データに対して自端末装置または他の端末装置７において入力されたコメント内容を表示する。
【００７４】
端末装置７のコメント処理部７５４が、コメントの入力がなく（図１１、ステップＳ４３０：ＮＯ）、コメント情報を受信していないと判断した場合（図１１、ステップＳ４４５：ＮＯ）、動画表示制御部７５３は、表示対象変更操作を受けたか否かを判断する（図１１、ステップＳ４５０）。表示対象変更操作は、表示部７２が表示している画面上のスワイプ操作またはフリック操作である。例えば、図１４の表示領域Ｂ１２あるいは図１５の表示領域Ｃ１２に表示されている動画データを新たな表示対象とする場合、表示対象変更操作は、右から左方向へのフリック操作またはスワイプ操作である。同様に、図１４の表示領域Ｂ１３あるいは図１５の表示領域Ｃ１３に表示されている動画データを新たな表示対象とする場合、表示対象変更操作は、左から右方向へのフリック操作またはスワイプ操作である。動画表示制御部７５３は、表示対象変更操作を受けたと判断した場合（図１１、ステップＳ４５０：ＹＥＳ）、ステップＳ４０５からの処理を繰り返す。ただし、ステップＳ４０５において、動画表示制御部７５３は、表示対象変更操作に応じて新たな表示対象の動画データを判断し、新たな表示対象と判断した動画データの動画ＩＤを表示対象動画情報として設定した表示要求を送信する。なお、表示対象動画情報として、現在の表示対象の動画データの動画ＩＤと、表示対象変更操作の方向とを示す情報を用いてもよい。
【００７５】
図１２において、動画配信装置５の動画表示画面生成部５１９は、表示要求を受信したと判断し（図１２、ステップＳ５０５：ＹＥＳ）、さらに、表示要求の送信元の端末装置７にすでに動画表示画面を送信中であると判断する（図１２、ステップＳ５１０：ＹＥＳ）。動画表示画面生成部５１９は、表示要求に設定されていて表示対象動画情報から動画ＩＤを読み出し、表示対象動画ＩＤとする。なお、表示対象動画情報が、現在の表示対象の動画データの動画ＩＤと表示対象変更操作の方向とを示す場合、動画表示画面生成部５１９は、動画一覧においてその動画ＩＤに対応した配置位置を特定する。そして、動画表示画面生成部５１９は、特定した配置位置に、表示対象変更操作の方向に対応した方向（例えば、操作の方向が右から左であれば右）に隣接する配置位置の動画ＩＤを表示対象動画ＩＤとして取得する。
【００７６】
動画表示画面生成部５１９は、動画一覧において、表示対象動画ＩＤに対応した配置位置を特定し、右隣接動画ＩＤ及び左隣接動画ＩＤを読み出す。動画表示画面生成部５１９は、端末装置７に現在配信している動画表示画面から、新たな表示対象の動画データの画像を、現在の表示対象の動画データの画像が表示されている表示領域へと移動させて表示する動画表示画面を生成する（図１２、ステップＳ５２５）。生成する動画表示画面においては、新たな表示対象の動画データの画像の右側に隣接して右隣接動画ＩＤの動画データの画像を、表示対象の動画データの画像の左側に隣接して左隣接動画ＩＤの動画データの画像を表示させる。動画表示画面生成部５１９は、生成した動画表示画面を表示要求の送信元の端末装置７に配信する（図１２、ステップＳ５２０）。
【００７７】
図１２のステップＳ４１０において、端末装置７の動画表示制御部７５３が、動画配信装置５から動画表示画面を受信した以降の処理は、上記と同様である。
そして、ステップＳ４５０において、動画表示制御部７５３は、表示対象変操作を受けていないと判断した場合（図１１、ステップＳ４５０：ＮＯ）、表示対象の動画データが終了したか否かを判断する(ステップＳ４５５）。動画表示制御部７５３は、終了していないと判断した場合はステップＳ４３５からの処理を繰り返し（図１１、ステップＳ４５５：ＮＯ）、終了と判断した場合は処理を終了する（図１１、ステップＳ４５５：ＹＥＳ）。
【００７８】
なお、上記において、動画表示画面は、表示対象の動画データの画像の右側と左側に隣接させて他の動画データの画像を一部分だけ表示させているが、表示対象の動画データの画像の上側と下側に隣接させて他の動画データの画像を一部分だけ表示させるようにしてもよい。この場合、図１２のステップＳ５１５、及びステップＳ５２５において、動画表示画面生成部５１９は、表示対象動画ＩＤに対応した配置位置に対して、上側に隣接する配置位置の動画ＩＤ（以下、「上隣接動画ＩＤ」と記載する。）及び下側に隣接する配置位置の動画ＩＤ（以下、「下隣接動画ＩＤ」と記載する。）を読み出す。動画表示画面生成部５１９は、表示対象の動画データの画像の上側に隣接して、上隣接動画ＩＤの動画データの画像を表示し、表示対象の動画データの画像の下側に隣接して、下隣接動画ＩＤの動画データの画像を表示する動画表示画面を生成する。
また、動画表示画面は、表示対象の動画データの画像の右側と左側に隣接させて他の動画データの画像を一部分だけ表示させているが、全部を表示させてもよい。
【００７９】
なお、上記において、動画表示画面は、他の動画データを新たな表示対象として選択して表示可能であることを表す情報として、表示対象の動画データの画像の右側及び左側、あるいは、上側及び下側に隣接させて他の動画データの画像を、画面の外周で切れるようにして一部分だけ表示しているが、他の情報を用いてもよい。
図１６は、端末装置７の表示部７２が表示する動画表示画面の他の表示例を示す図であり、表示部７２が縦長の状態であるときの表示例である。同図では、他の動画データを動画表示画面における新たな表示対象として選択して表示可能であることを表す情報として矢印Ｂ３１、Ｂ３２を用いている。動画表示画面は、図１４の表示領域Ｂ１２あるいは図１５の表示領域Ｃ１２に対応する領域に、一覧表示において表示対象の動画データの右側に隣接する動画データを新たな表示対象として選択可能であることを表す矢印Ｂ３１を表示する。また、動画表示画面は、図１４に示す表示例の表示領域Ｂ１３あるいは図１５の表示領域Ｃ１３に対応する領域には、一覧表示において表示対象の動画データの左側に隣接する動画データを新たな表示対象として選択可能であることを表す矢印Ｂ３２を表示する。
【００８０】
また、上記において、動画表示画面は、他の動画データを新たな表示対象として選択して表示可能であることを表す情報を、表示対象の動画データの画像に隣接させて表示しているが、他の位置に表示してもよい。
【００８１】
また、動画配信装置５の動画表示画面生成部５１９は、動画表示画面において、表示対象の動画データの画像に隣接させて画像を表示する他の動画データを、所定の時間毎に変更してもよい。いずれの動画データに入れ替えるかは任意に決めることができる。
また、上記では動画一覧表示画面において、動画データの正方形の表示画像を同一の大きさにより縦方向及び横方向にタイル状に並べて配置しているが、表示画像の大きさが複数種類であってもよく、正方形以外の表示画像を並べて配置してもよい。例えば、表示画像の縦方向の長さを正方形の倍数とし、横方向の長さは任意としてもよい。
【００８２】
また、動画配信装置５の動画一覧表示画面生成部５１６は、送信範囲に表示画像を表示させるライブ配信の動画データを受信していない場合、その動画データに関連付けて予め記憶部５１１に記憶されているコンテンツデータを読み出す。動画一覧表示画面生成部５１６は、読み出したコンテンツデータの表示画像を、ライブ配信の動画データの代わりに表示させる動画一覧表示画面を生成する。例えば、コンテンツデータは、ライブ配信の開始時刻や、ライブ配信の終了を知らせる静止画データや動画データとすることができる。
【００８３】
また、上記においては、ライブ映像の動画データを用いた例を説明したが、動画配信装置５は、記憶部５１１に予め記憶されているアップロードされた動画データを用いて、上記の処理を行ってもよい。この場合、端末装置７のコメント処理部７５４から送信するコメントデータには、さらに、コメント内容が投稿された時点における、動画データの再生開始時点を基準とした動画再生時間を示すコメント付与時間がさらに付加される。また、動画配信装置５のコメント配信部５３３から配信されるコメント情報にもコメント付与時間が付加される。端末装置７のコメント処理部７５４は、動画表示画面により表示している動画データの動画再生時間と一致した動画再生時間が含まれるコメント情報を読み出し、動画表示画面に付加して表示させる。
なお、端末装置７の操作受付部７３が、コメント表示をしない旨の操作を受けた場合、コメント処理部７５４は、動画配信装置５からコメント情報が配信されても表示させないようにしてもよい。
【００８４】
なお、上記において、端末装置７の表示部７２が動画一覧表示画面を表示させる際、表示範囲の外側にも表示画像があり、表示範囲を移動させることが可能なことを表す情報として、表示部７２が表示させている最も外側の表示画像を、表示部７２の表示範囲の外周により切れるように表示しているが、他の情報を用いてもよい。例えば、動画配信装置５の動画一覧表示画面生成部５１６は、端末装置７における動画一覧表示画面の表示範囲に付加して、表示範囲を移動させることが可能なことを表す情報を表示する動画一覧表示画面を生成する。
【００８５】
図１７は、端末装置７の表示部７２が表示する動画一覧表示画面の他の表示例を示す図である。一覧表示制御部７５１は、図５のステップＳ２１５で決定した表示範囲の周囲の色を変えて、表示部７２に表示させる。
【００８６】
図１８は、端末装置７の表示部７２が表示する動画一覧表示画面のさらに他の表示例を示す図である。同図に示すように、一覧表示制御部７５１は、図５のステップＳ２１５で決定した表示範囲の上、下、右、左側に、それぞれ矢印を表示させる。なお、これらの矢印は、表示範囲内に表示させてもよい。
【００８７】
以上説明した実施形態によれば、ユーザは、タイル状に並べられた動画一覧の表示範囲を移動させながら視聴する動画を選択する。また、ユーザが、選択した動画を視聴するときには、他の動画の一部がその両側に選択可能に表示されるなど、他の動画データを新たな表示対象として選択して表示可能であることを表す情報が表示される。よって、端末装置が現在表示している動画一覧に含まれる動画や、表示対象としている動画以外にも他の動画が存在することをユーザに意識させ、他の動画への導線を確保することができる。よって、ユーザに対してより多くの動画を選択する機会を提供することが可能となる。加えて、ユーザは、所望の動画を、楽しみながら、容易に見つけて視聴することが可能となる。
【００８８】
なお、上述の動画配信装置５及び端末装置７は、内部にコンピュータシステムを有している。そして、動画配信装置５及び端末装置７の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００８９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００９０】
以上、この発明の実施形態について図面を参照して詳述してきたが、具体的な構成はこの実施形態に限られるものではなく、この発明の要旨を逸脱しない範囲の設計等も含まれる。
【符号の説明】
【００９１】
１…動画配信システム，  ３…動画投稿装置，  ５…動画配信装置，  ７…端末装置，  ９…ネットワーク，  ５１…動画配信処理部、  ５３…コメント配信処理部、  ７１…通信部（受信部）、  ７２…表示部、  ７３…操作受付部、  ７４…音声出力部、  ７５…制御部、  ５１１…記憶部、  ５１２…配置決定部、  ５１３…動画受信部、  ５１４…一覧表示用動画生成部、  ５１５…送信範囲決定部、  ５１６…動画一覧表示画面生成部、  ５１７…表示位置受信部、  ５１８…音声配信部、  ５１９…動画表示画面生成部、  ５３１…コメント受信部、  ５３２…コメント記憶部、  ５３３…コメント配信部、  ７５１…一覧表示制御部、  ７５２…音声制御部、  ７５３…動画表示制御部（動画再表示制御部）、  ７５４…コメント処理部
【図１】
2015195618.tif 000003
【図２】
2015195618.tif 000004
【図３】
2015195618.tif 000005
【図４】
2015195618.tif 000006
【図５】
2015195618.tif 000007
【図６】
2015195618.tif 000008
【図７】
2015195618.tif 000009
【図８】
2015195618.tif 000010
【図９】
2015195618.tif 000011
【図１０】
2015195618.tif 000012
【図１１】
2015195618.tif 000013
【図１２】
2015195618.tif 000014
【図１３】
2015195618.tif 000015
【図１４】
2015195618.tif 000016
【図１５】
2015195618.tif 000017
【図１６】
2015195618.tif 000018
【図１７】
2015195618.tif 000019
【図１８】
2015195618.tif 000020